(57)【要約】【課題】簡易な構成にて、１次転写部における中間転写体から像担持体へのトナーの再転写を抑制することのできる画像形成装置を提供する。【解決手段】トナーを担持する像担持体１と、像担持体１と接触して移動可能な中間転写体６と、中間転写体６を挟んで像担持体１と対向する位置に中間転写体６に接触して配置され、電圧が印加されることで像担持体１上のトナーを中間転写体６に転写させる１次転写部材５と、中間転写体６に接触して配置され中間転写体６上のトナーを転写材Ｐに転写させる２次転写部材７ａ、７ｂと、を有する画像形成装置は、１次転写部材５と中間転写体６の１次転写部材５と接触する面との間に、電気的な整流作用を有する構成とする。【選択図】図３
2009003035.tif 000002
【特許請求の範囲】
【請求項１】
トナーを担持する像担持体と、前記像担持体と接触して移動可能な中間転写体と、前記中間転写体を挟んで前記像担持体と対向する位置に前記中間転写体に接触して配置され、電圧が印加されることで前記像担持体上のトナーを前記中間転写体に転写させる１次転写部材と、前記中間転写体に接触して配置され前記中間転写体上のトナーを転写材に転写させる２次転写部材と、を有する画像形成装置において、
前記１次転写部材と前記中間転写体の前記１次転写部材と接触する面との間に、電気的な整流作用を有することを特徴とする画像形成装置。
【請求項２】
前記トナーの正規の帯電極性は負極性であり、前記中間転写体の前記１次転写部材と接触する面はｎ型の導電機構を有し、前記１次転写部材はｐ型の導電機構を有することを特徴とする請求項１に記載の画像形成装置。
【請求項３】
前記トナーの正規の帯電極性は負極性であり、前記中間転写体の前記１次転写部材と接触する面はｎ型の導電機構を有し、前記１次転写部材は金属的な導電機構を有することを特徴とする請求項１に記載の画像形成装置。
【請求項４】
前記中間転写体の前記１次転写部材に接触する面に接触する前記２次転写部材は、ｎ型の導電機構又は金属的な導電機構を有することを特徴とする請求項２又は３に記載の画像形成装置。
【請求項５】
前記中間転写体の前記１次転写部材に接触する面に接触する部材で、前記１次転写部材以外の部材は全て、ｎ型の導電機構又は金属的な導電機構を有することを特徴とする請求項２〜４のいずれかの項に記載の画像形成装置。
【請求項６】
前記トナーの正規の帯電極性は正極性であり、前記中間転写体の前記１次転写部材と接触する面はｐ型の導電機構を有し、前記１次転写部材はｎ型の導電機構を有することを特徴とする請求項１に記載の画像形成装置。
【請求項７】
前記トナーの正規の帯電極性は正極性であり、前記中間転写体の前記１次転写部材と接触する面はｐ型の導電機構を有し、前記１次転写部材は金属的な導電機構を有することを特徴とする請求項１に記載の画像形成装置。
【請求項８】
前記中間転写体の前記１次転写部材に接触する面に接触する前記２次転写部材は、ｐ型の導電機構又は金属的な導電機構を有することを特徴とする請求項６又は７に記載の画像形成装置。
【請求項９】
前記中間転写体の前記１次転写部材に接触する面に接触する部材で、前記１次転写部材以外の部材は全て、ｐ型の導電機構又は金属的な導電機構を有することを特徴とする請求項６〜８のいずれかの項に記載の画像形成装置。
【請求項１０】
前記１次転写部材の前記中間転写体に対する当接領域の前記中間転写体の移動方向における中心位置は、前記像担持体の中間転写体に対する当接領域の前記中間転写体の移動方向における中心位置よりも、前記中間転写体の移動方向下流側にあることを特徴とする請求項１〜９のいずれかの項に記載の画像形成装置。
【発明の詳細な説明】
【技術分野】
【０００１】
本発明は、電子写真式や静電記録方式を利用して像担持体上に形成したトナー像を、転写部材に電圧を印加することで被転写体としての中間転写体上に移動させる工程を有する複写機、プリンタなどの画像形成装置に関するものである。
【背景技術】
【０００２】
近年、例えば電子写真方式を利用したフルカラー画像形成装置として、中間転写方式を採用した画像形成装置が増えている（特許文献１〜３参照）。中間転写方式を採用した画像形成装置としては、主に次の２つのタイプのものが知られている。
【０００３】
第１のタイプは、所謂、４サイクルタイプの画像形成装置である。このタイプの画像形成装置は、１つの像担持体を備えた画像形成部において、その１つの像担持体に電子写真プロセスにより画像情報に応じた複数色のトナー像を順次形成する。その各色のトナー像を、像担持体に接触し得る状態で周回する中間転写体に順次重ね合わせるように１次転写する。そして、その中間転写ベルト上の多重トナー像を、最終的に、記録媒体である転写材に一括して２次転写する。
【０００４】
第２のタイプは、所謂、タンデムタイプの画像形成装置である。このタイプの画像形成装置は、各々が１つの像担持体を備えた複数の画像形成部において、その各像担持体に電子写真プロセスにより画像情報に応じた複数色のトナー像をそれぞれ形成する。その各トナー像を、各像担持体に接触し得る状態で周回する中間転写体に順次重ね合わせるように１次転写する。そして、その中間転写体上の多重トナー像を、最終的に、記録媒体である転写材に一括して２次転写する。
【０００５】
像担持体としては、回転可能なドラム型の電子写真感光体、即ち、感光ドラムが広く用いられている。又、中間転写体としては、無端ベルト状に形成された中間転写ベルトが広く用いられている。
【０００６】
上述のいずれタイプの中間転写方式の画像形成装置においても、像担持体から中間転写体へのトナー像の転写は、一般的には、１次転写装置を使用して静電的に行われる。即ち、一般的に、１次転写装置は、像担持体と接触する位置における中間転写体の内周面側の部位に当接した状態で配置される１次転写部材として１次転写ローラなどの当接部材を有する。そして、この１次転写部材にトナー像を構成するトナーの正規の帯電極性とは逆極性の転写電圧を印加することで、像担持体上のトナー像を中間転写体の外周面に静電的に転写させる。
【特許文献１】特開平９−１５２７９１号公報
【特許文献２】特開２００４−３３３６７７号公報
【特許文献３】特開２００３−２５５７２７号公報
【発明の開示】
【発明が解決しようとする課題】
【０００７】
中間転写方式を採用した画像形成装置には、中間転写体に転写された直後のトナー像を構成するトナー（特にトナー像の角部を形成するトナー）の一部が当該トナー像の周囲に飛び散り、画像品質を低下させることがある、という課題がある。この現象は「トナー飛び散り」と呼ばれる。
【０００８】
トナー飛び散りは、主に、像担持体の表面に付着したトナーが、像担持体と中間転写体との間の接触ニップ部（転写ニップ）に挟まれる前に、転写電界によって中間転写体へ向けて飛翔することによって発生する。この現象は「プレ転写」と呼ばれる。
【０００９】
プレ転写によるトナー飛び散りを抑制する技術として、中間転写体の移動方向において、１次転写部材の中間転写体に対する当接点（当接領域の中心位置）を、像担持体の中間転写体に対する当接点よりも下流側に配置する構成が知られている（特許文献１参照）。このような構成とすることによって、像担持体の表面に付着したトナーが転写ニップ（転写領域）に入る前に受ける電界が小さくなる。そのため、プレ転写を抑制することができる。
【００１０】
ところが、１次転写部材の中間転写体に対する当接点を下流へずらすと、中間転写体上に既に転写されているトナーが、次色のトナー像の転写の際に転写ニップにおいて像担持体の表面に戻る現象が発生し易くなる。この現象は「再転写」と呼ばれる（特許文献２参照）。
【００１１】
再転写が多く発生すると、出力画像のがさつきや色味変動といった、画像品質の問題が生じることがある。又、像担持体上の付着物を除去、回収するために特別のクリーニング装置を設置しないクリーナレス方式の画像形成装置においては、再転写が多く発生すると、トナーの混色という問題にもつながる。
【００１２】
本発明者らの鋭意研究の結果、１次転写部材の中間転写体に対する当接点を下流へずらすことによって再転写が発生し易くなる理由は次の通りであると考えられる。
【００１３】
再転写は、中間転写体上のトナー像が次色のトナー像の転写のために転写ニップを通過する際に、トナー像を保持している中間転写体に過剰な電荷が注入されることによって引き起こされる。
【００１４】
図２は、プレ転写によるトナー飛び散りを抑制するために、１次転写部材の中間転写体に対する当接点を、像担持体の中間転写体に対する当接点よりも中間転写体の移動方向（進行方向）下流側に配置した時の１次転写部Ｎ１を模式的に示す。
【００１５】
図示の例では、像担持体としての感光ドラム１が中間転写体としての中間転写ベルト６の外周面に接触し、又１次転写部材としての１次転写ローラ５が中間転写ベルト６の内周面に接触して、１次転写部Ｎ１が構成されている。
【００１６】
画像形成中は、感光ドラム１と中間転写ベルト６とはほぼ同じ速度で図２中の左から右に向かって移動している。又、この時、１次転写ローラ５には、感光ドラム１上のトナーを中間転写ベルト６上に転写するために必要な一定電流（トナーの帯電極性とは逆極性）が絶えず流れている。１次転写電流としては、少なくとも画像形成領域の全域にベタ画像（最高濃度レベルの画像）を形成する時の感光ドラム１上のトナー層の面電荷密度に相当する値以上の電流が必要である。
【００１７】
ここで、図２中の１次転写部Ｎ１をＡ、Ｂ、Ｃ、Ｄの４つの領域に分ける。領域Ａは、感光ドラム１と中間転写ベルト６の表面とが（中間転写ベルト６上にトナー層がある時はそれを挟んで）接触しているが、１次転写ローラ５と中間転写ベルト６の裏面とが接触していない（離間している）領域である。領域Ｂは、感光ドラム１と中間転写ベルト６の表面とが（中間転写ベルト６上にトナー層がある時はそれを挟んで）接触していると共に、１次転写ローラ５と中間転写ベルト６の裏面とが接触している領域である。領域Ｃは、中間転写ベルト６の裏面と１次転写ローラ５とが接触しているが、感光ドラム１と中間転写ベルト６の表面とが接触していない（離間している）領域である。領域Ｄは、中間転写ベルト６が感光ドラム１にも、１次転写ローラ５にも接触していない領域である。
【００１８】
図９は、従来の画像形成装置における、上記各領域における縦方向、即ち、中間転写ベルト６の移動方向に対して垂直な方向の簡単な等価回路を示す。
【００１９】
トナーの正規の帯電極性が負極性であるものとすると、１次転写ローラ５に印加する電圧の極性は正極性になる。図９に示す等価回路は、感光ドラム１の裏面（通常は電気的に接地されている）と中間転写ベルト６との間で形成されるコンデンサＣｎｉｐと、１次転写ローラ５の抵抗Ｒｔとから成る。ここで、中間転写ベルト６の厚さは無視している。Ｃｎｉｐに蓄えられている面電荷密度をＱ（中間転写ベルト電荷密度に相当）とし、Ｃｎｉｐの単位面積当たりの容量をＣ、Ｃｎｉｐの下面の電位をＶとすると、Ｑ＝Ｃ・Ｖの関係が成り立つ。ここで、簡単のため、感光ドラム１の表面電位は０Ｖとする。
【００２０】
上記各領域における電荷移動の様子を説明する。領域Ａでは、ＣｎｉｐとＲｔとの間のスイッチは繋がっておらず、Ｑはほぼゼロである。領域Ｂでは、ＣｎｉｐとＲｔとの間のスイッチが繋がり、Ｃｎｉｐに電荷が蓄えられ、徐々にＱは飽和していく。領域Ｃでは、感光ドラム１と中間転写ベルト６との距離が徐々に大きくなるため、Ｃｎｉｐの容量が減少していく。そして、Ｑ＝Ｃ・Ｖの関係を保つために、Ｃｎｉｐに蓄えられた電荷がＲｔを介して戻っていくことになる。即ち、Ｑが減少していく。更に、領域Ｄでは、ＣｎｉｐとＲｔとの間のスイッチは切られ、Ｃｎｉｐに蓄えられた電荷は行き場がなくなり、転写ニップの下流へと移動していく。下流へ行くほどＣは減少していくが、Ｑは変わらないので、Ｖは上昇していく。そして、一般に、領域Ｄの入口から下流側に数ミリのところで感光ドラム１と中間転写ベルト６との間で剥離放電が起こる。
【００２１】
従って、上述のような各領域における電荷移動が起こる場合、中間転写ベルト６の電荷密度Ｑと、中間転写ベルト６の移動方向における位置との関係は、図１０に示すようになる。即ち、領域Ｃにおいて電荷密度Ｑの大幅な減少が見られる。
【００２２】
画像形成中は感光ドラム１上にトナーがないときでも、１次転写ローラ５には常に一定の電流が流れ続けている。図２に示すように、１次転写部Ｎ１において領域Ｃが存在する構成では、領域Ｃにおいて、中間転写ベルト６に注入された電荷の逆流が発生する。そのため、領域Ｂにおいて中間転写ベルト６に必要以上に多くの電荷を注入しなくてはならないことがある。領域Ｂにおいて過剰な電荷が注入されると、再転写が多く発生し易くなる。領域Ｃが長ければ長いほど、１次転写ローラ５へ逆流する電荷が多くなるため、この傾向が顕著に表れ易くなる。このため、領域Ｂで中間転写ベルト６に注入する電荷密度を大きくせざるを得なくなることがある。
【００２３】
プレ転写を防止するために１次転写ローラ５の中間転写ベルト６に対する当接点を感光ドラム１の中間転写ベルト６に対する当接点よりも中間転写ベルト６の移動方向下流側へ配置した構成においては、必然的に領域Ｃは長くなる。このため、プレ転写の抑制と再転写の抑制とは両立し難い。
【００２４】
中間転写ベルト６を転写ニップの下流側で感光ドラム１に巻き付け、中間転写ベルト６と感光ドラム１との接触幅を長くすれば、プレ転写を抑制しつつ、領域Ｃを短くするか或いは全く無くすことが可能である（特許文献３参照）。しかし、そのためには、特に、タンデムタイプの画像形成装置においては、中間転写ベルト６を上下に蛇行させなくてはならない。そのため、トルクの上昇、中間転写ベルト６の磨耗量の増加、感光ドラム１の周囲のスペースの減少などの問題が生じ、機械的設計が非常に困難になる。
【００２５】
又、領域Ｃにおける電荷の逆流を抑えるために１次転写ローラ５の緩和時間を大きくする手段も考えられる。しかし、転写工程に充分な電流を流すための転写電圧値が上昇することによって、転写ニップの上流側の電界強度が上昇する。そのため、結局はプレ転写を誘発し易くなる。
【００２６】
従って、本発明の目的は、簡易な構成にて、１次転写部における中間転写体から像担持体へのトナーの再転写を抑制することのできる画像形成装置を提供することである。
【課題を解決するための手段】
【００２７】
上記目的は本発明に係る画像形成装置にて達成される。要約すれば、本発明は、トナーを担持する像担持体と、前記像担持体と接触して移動可能な中間転写体と、前記中間転写体を挟んで前記像担持体と対向する位置に前記中間転写体に接触して配置され、電圧が印加されることで前記像担持体上のトナーを前記中間転写体に転写させる１次転写部材と、前記中間転写体に接触して配置され前記中間転写体上のトナーを転写材に転写させる２次転写部材と、を有する画像形成装置において、前記１次転写部材と前記中間転写体の前記１次転写部材と接触する面との間に、電気的な整流作用を有することを特徴とする画像形成装置である。
【発明の効果】
【００２８】
本発明によれば、簡易な構成にて、１次転写部における中間転写体から像担持体へのトナーの再転写を抑制することができる。
【発明を実施するための最良の形態】
【００２９】
以下、本発明に係る画像形成装置を図面に則して更に詳しく説明する。
【００３０】
実施例１
［画像形成装置の全体構成］
先ず、本発明に係る画像形成装置の一実施例の全体構成について説明する。図１は、本実施例の画像形成装置１００の概略断面構成を示す。本実施例の画像形成装置１００は、タンデムタイプの電子写真方式のレーザービームプリンタである。
【００３１】
本実施例の画像形成装置１００は、複数の画像形成手段として、第１、第２、第３、第４の画像形成部（ステーション）ＳＹ、ＳＭ、ＳＣ、ＳＫを有する。第１、第２、第３、第４の画像形成部ＳＹ、ＳＭ、ＳＣ、ＳＫは、それぞれイエロー（Ｙ）、マゼンタ（Ｍ）、シアン（Ｃ）、ブラック（Ｋ）の各色の画像を形成するようになっている。
【００３２】
本実施例では、各画像形成部ＳＹ、ＳＭ、ＳＣ、ＳＫの構成及び動作は、使用するトナーの色が異なることを除いて実質的に同一である。従って、以下、特に区別を要しない場合は、いずれかの色用に設けられた要素であることを表すために図中符号に与えた添え字Ｙ、Ｍ、Ｃ、Ｋは省略して総括的に説明する。
【００３３】
画像形成部Ｓは、トナーを担持する像担持体としてのドラム型の電子写真感光体、即ち、感光ドラム１を有する。感光ドラム１は、図中矢印Ｒ１方向（反時計回り）に回転駆動される。感光ドラム１の周囲には、帯電手段としての接触帯電部材である帯電ローラ２、露光手段（画像情報書き込み手段）としてのレーザービームスキャナー３、現像手段としての現像装置４、クリーニング手段としてのクリーニング装置１０などが配置されている。又、全ての画像形成部Ｓの感光ドラム１に対向するように中間転写装置６０が配置されている。
【００３４】
中間転写装置６０は、感光ドラム１に接触して移動可能な中間転写体として、無端ベルト状部材である中間転写ベルト６を有する。中間転写ベルト６は、複数の支持部材としての駆動ローラ６１、従動ローラ６２、２次転写バックアップローラ７ｂに掛け回されている。中間転写ベルト６は、駆動ローラ６１に駆動力が伝達されることで、図中矢印Ｒ２方向（時計回り）に周回移動する。又、各画像形成部Ｓの各感光ドラム１に対向する位置において中間転写ベルト６の内周面（裏面）に接触するように、１次転写手段としての回転可能な１次転写部材である１次転写ローラ５が配置されている。各１次転写ローラ５は、中間転写ベルト６を感光ドラム１に向けて押圧している。これにより、感光ドラム１と１次転写ローラ５とで中間転写ベルト６が挟持されて１次転写部Ｎ１が形成されている。又、バックアップローラ７ｂに対向する位置において中間転写ベルト６の外周面（表面）に接触するように、２次転写ローラ７ａが配置されている。２次転写ローラ７ａは、中間転写ベルト６に圧接している。これにより、２次転写ローラ７ａとバックアップローラ７ｂとで中間転写ベルト６が挟持されて２次転写部Ｎ２が形成されている。２次転写ローラ７ａ及びバックアップローラ７ｂはそれぞれ、２次転写手段を構成する回転可能な２次転写部材である。
【００３５】
次に、フルカラー画像形成時を例として画像形成動作を説明する。
【００３６】
先ず、感光ドラム１の表面が、帯電ローラ２によって所定の極性（本実施例では負極性）の所定の電位に一様に帯電される。感光ドラム１は、図中矢示Ｒ１方向に１３０ｍｍ／ｓｅｃの周速度（表面移動速度）で回転する。感光ドラム１の周速度は、画像形成装置１００のプロセススピードに相当する。
【００３７】
帯電された感光ドラム１の表面は、レーザービームスキャナー（画像露光装置）３によって、画像信号により変調されたレーザー光Ｌで走査露光される。これにより、感光ドラム１上に静電像（潜像）が形成される。
【００３８】
感光ドラム１上に形成された静電像は、現像装置４によって現像剤のトナーによってトナー像として現像される。本実施例では、現像装置４は、感光ドラム１上の静電像を反転現像方式にて現像する。即ち、帯電処理された感光ドラム１の表面において露光によって電荷が減衰した画像部（明部）に、感光ドラム１の帯電極性と同極性（本実施例では負極性）に帯電したトナーを付着させることで、感光ドラム１上の静電像を現像する。
【００３９】
各感光ドラム１上に形成された各色のトナー像は、中間転写ベルト６を挟んで１次転写ローラ５と感光ドラム１とが対向している１次転写部Ｎ１にて、中間転写ベルト６上に順次に重ね合わせて転写（１次転写）される。この時、１次転写ローラ５には、１次転写バイアス印加手段としての１次転写電源５１から出力された、トナーの正規の帯電極性とは逆極性の１次転写バイアス（１次転写電圧）が印加される。
【００４０】
中間転写ベルト６上で４色重ねられたトナー像は、中間転写ベルト６を挟んで２次転写ローラ７ａとバックアップローラ７ｂとが対向している２次転写部Ｎ２にて、記録用紙などの転写材Ｐ上に一括して転写（２次転写）される。この時、２次転写ローラ７ａには、２次転写バイアス印加手段としての２次転写電源７１から出力された、トナーの正規の帯電極性とは逆極性の２次転写バイアス（２次転写電圧）が印加される。尚、本実施例では、２次転写バイアスを中間転写ベルト６の外周面に接触する２次転写部材に印加するが、２次転写バイアスは極性を反転させて中間転写ベルト６の内周面に接触する２次転写部材に印加してもよい。
【００４１】
ここで、転写材Ｐは、転写材カセット８から供給ローラなどによって取り出され、搬送ローラ、搬送ガイドなどを経由して２次転写部Ｎ２へと供給される。
【００４２】
トナー像が転写された転写材Ｐは、中間転写ベルト６から分離されて、定着手段としての定着器（熱ローラ定着器）９へと搬送される。そして、転写材Ｐ上の未定着トナー像は、定着器９によって加熱及び加圧されることで、転写材Ｐに定着される。
【００４３】
尚、１次転写工程後に中間転写ベルト６に転写されずに感光ドラム１の表面に残ったトナー（１次転写残トナー）は、クリーニング装置１０により感光ドラム１の表面から除去され、回収される。クリーニング装置１０は、弾性体ブレード（クリーニングブレード）などのクリーニング部材によって、感光ドラム１上のトナーを掻き取る。１次転写残トナーが除去された感光ドラム１は、繰り返し画像形成に供される。
【００４４】
又、２次転写工程後に転写材Ｐに転写されずに中間転写ベルト６の表面に残ったトナー（２次転写残トナー）は、中間転写ベルトクリーナ６４によって中間転写ベルト６の表面から除去され、回収される。中間転写ベルトクリーナ６４は、弾性体ブレード（クリーニングブレード）などの中間転写ベルトクリーニング部材によって、中間転写ベルト６上のトナーを掻き取る。中間転写ベルトクリーナ６４は、中間転写ベルト６の表面に当接／離間自在に取り付けられていてよい。そして、１次転写工程中は中間転写ベルトクリーニング部材を中間転写ベルト６の表面から離間させ、２次転写前のトナー像を乱し難くすることができる。
【００４５】
画像形成装置１００は、所望の単独又は４個の画像形成部のうちのいくつかのみを用いてトナー像を形成することで、単色又はマルチカラーの画像を形成することもできる。この場合も、トナー像を形成しない画像形成部があることを除けば、画像形成動作は上述のフルカラー画像形成時と同様である。
【００４６】
次に、画像形成装置１００の主要な構成要素について更に詳しく説明する。
【００４７】
本実施例では、帯電ローラ２として、導電性ゴムから成る接触帯電ローラを用いた。帯電ローラ２には、帯電バイアス（帯電電圧）として、直流電圧（本実施例では−６００Ｖ）と交流電圧（本実施例では正弦波、９２０Ｈｚ、１１００μＡ）とを重畳した交番電圧が印加される。これにより、約−６００Ｖの均一な感光ドラム１の帯電電位が得られる。
【００４８】
画像形成装置１００の本体に接続されたＣＣＤなどの光電変換素子を有する原稿読み取り装置（図示せず）は、原稿の画像情報に対応する画像信号を出力する。レーザービームスキャナー３に内蔵された半導体レーザーは、この画像信号に対応して制御されレーザービームを射出する。尚、本実施例の画像形成装置１００は、その本体に接続された電子計算機（ホストコンピュータ）からの出力信号に基づいてプリントアウトすることもできる。
【００４９】
本実施例では、感光ドラム１は、ドラム型に形成された、負帯電性のＯＰＣ（有機光導電体）感光体である。この感光ドラム１は、直径３０ｍｍのアルミニウム製のドラム基体（以下「アルミ基体」という）上に、次の第１〜第４の４層の機能層を下から順に設けたものである。第１層は下引き層であり、アルミ基体の欠陥などを均すため、又レーザー露光の反射によるモアレの発生を防止するために設けられた導電層である。本実施例では、下引き層の厚さは約２０μｍである。第２層は正電荷注入防止層であり、アルミ基体から注入された正電荷が、帯電処理された感光ドラム１の表面の負電荷を打ち消すのを防止する役割を果たす。この正電荷注入防止層は、ポリアミド樹脂とメトキシメチル化ナイロンとによって、体積抵抗率が１０6Ω・ｃｍ程度となるように電気抵抗が調整された中抵抗層である。本実施例では、正電荷注入防止層の厚さは約１μｍである。第３層は電荷発生層であり、ジスアゾ系の顔料を樹脂に分散した層であり、レーザー露光を受けることによって正負の電荷対を発生する。本実施例では、電荷発生層の厚さは約０．３μｍである。第４層は電荷輸送層であり、ポリカーボネイト樹脂にヒドラゾンを分散した層である。この電荷輸送層は、Ｐ型半導体である。従って、帯電処理された感光ドラム１の表面の負電荷はこの電荷輸送層を移動することはできず、電荷発生層で発生した正電荷のみを感光ドラム１の表面に輸送することができる。
【００５０】
本実施例では、現像装置４は、現像剤として、負帯電性の非磁性トナー粒子（トナー）と、磁性キャリア粒子（キャリア）とが主に混合されて成る２成分現像剤を用いる。
【００５１】
本実施例では、１次転写ローラ５は、芯金と、その外周面に形成した円筒状の半導電性発泡ゴムとから成っている。本実施例では、１次転写ローラ５は、全ての画像形成部Ｓで同じものを使用した。本実施例では、発泡ゴムには、トリアリールアミン誘導体、ヒドラゾン誘導体、ジアルキルアミノベンゼン誘導体などの正孔（ホール）輸送剤が分散されており、ｐ型の導電型を示す。本実施例では、１次転写ローラ５の体積抵抗率は１０8Ω・ｃｍ程度に調節した。又、本実施例では、１次転写ローラ５の直径は１６ｍｍである。
【００５２】
尚、１次転写ローラ５は、長手方向（回転軸線方向）の両端部が軸受け部材にて回転自在に軸支されると共に、感光ドラム１の母線に平行に配置されている。そして、１次転写ローラ５は、スプリングなどの押圧手段で中間転写ベルト６を介して感光ドラム１に一定の力で押し当てられている。１次転写ローラ５への１次転写電圧の印加は、導電性樹脂を使用して構成された１次転写ローラ５の長手方向端部の軸受けを介して行われる。
【００５３】
本実施例では、２次転写ローラ７ａは、芯金と、その外周面に形成した円筒状の導電性発泡ゴムとから成る従来のものを用いた。本実施例では、２次転写ローラ７ａの体積抵抗率は約１０8Ω・ｃｍである。又、本実施例では、２次転写ローラ７ａの直径は２８ｍｍである。
【００５４】
本実施例では、バックアップローラ７ｂは、金属ローラの表面に、ｎ型の半導電性樹脂をコートしたものを用いた。本実施例では、ｎ型の半導電性樹脂の体積抵抗率は約１０8Ω・ｃｍである。又、本実施例では、ｎ型の半導電樹脂は、高分子バインダー樹脂にトリニトロフルオレン、テトラニトロフルオレノン、クロラニル、テトラシアノキノジメタンなどの電子（エレクトロン）輸送剤を分散させたものである。
【００５５】
又、本実施例では、中間転写ベルト６は、ポリイミドなどの基材に、導電性材料としてトリニトロフルオレン、テトラニトロフルオレノン、クロラニル、テトラシアノキノジメタンなどの電子輸送剤を含有させて、ｎ型の導電型を示すものを使用した。本実施例では、中間転写ベルト６の体積抵抗率は１０8〜１０11Ω・ｃｍに調整した。又、本実施例では、中間転写ベルト６の周長は８９５ｍｍ、厚さは８５μｍである。そして、本実施例では、中間転写ベルト６は、第４の画像形成部ＳＫの１次転写位置の下流側に位置する駆動ローラ６１により、感光ドラム１の周速度と同じ１３０ｍｍ／ｓｅｃの周速度で回転駆動される。
【００５６】
［１次転写部における電荷移動］
本実施例の目的の１つは、前述したような従来の課題に鑑み、中間転写ベルト６を感光ドラム１に巻き付けるなどの困難な機械的設計を伴うことなく、プレ転写によるトナー飛び散りを抑制しつつ、再転写を抑制することである。
【００５７】
そこで、本実施例では、画像形成装置１００は、１次転写部材としての１次転写ローラ５と中間転写体としての中間転写ベルト６の裏面（１次転写部材と接触する面）との間に電気的な整流作用を持たせる。
【００５８】
トナーの正規の帯電極性が負極性である場合、中間転写体の少なくとも裏面がｎ型の導電機構を持ち、１次転写部材がｐ型の導電機構を持つことにより、１次転写部材と中間転写体の裏面との間に電気的な整流作用を持たせ得る。又、トナーの正規の帯電極性が負極性である場合、中間転写体の少なくとも裏面がｎ型の導電機構を持ち、１次転写部材が金属的な導電機構を持つことにより、１次転写部材と中間転写体の裏面との間に電気的な整流作用を持たせ得る。
【００５９】
又、トナーの正規の帯電極性が負極性である場合、好ましくは、中間転写体の裏面に接触する２次転写部材が、ｎ型の導電機構又は金属的な導電機構を持つようにする。より好ましくは、中間転写体の裏面に接している部材で、１次転写部材以外の部材が全て、ｎ型の導電機構又は金属的な導電機構を持つようにする。即ち、中間転写体の裏面と中間転写体の裏面に接触する２次転写部材との間には、中間転写体の裏面と１次転写部材との間の電気的な整流作用とは逆の電気的な整流作用、又はオーミックな導電性を持たせる。
【００６０】
図３は、本実施例に従って中間転写ベルト６と１次転写ローラ５との間に電気的な整流作用を持たせた時の、図２に示すような１次転写部Ｎ１の領域Ａ〜Ｄの等価回路を示す。尚、図２に示す領域Ａ〜Ｄは、前述の通りのものである。
【００６１】
尚、詳しくは後述するように、本実施例では、感光ドラム１の中間転写ベルト６に対する当接点と、１次転写ローラ５の中間転写ベルト６に対する当接点との関係は、図２を参照して前述したものと同じである。
【００６２】
図３に示すように、本実施例においても、領域Ｂでは図９に示す従来の構成と同様に電荷が移動し、中間転写ベルト６に電荷が注入される。しかし、本実施例では、領域ＣにおいてＣｎｉｐとＲｔとの間に整流作用があるため、中間転写ベルト６に注入した電荷が１次転写ローラ５へ戻ることができない。この時の中間転写ベルト６内の電荷密度と、中間転写ベルト６の移動方向における位置との関係は、図４に示すようになる。即ち、図１０に示す従来の構成の場合とは異なり、領域Ｃにおける電荷密度Ｑの減少がほとんどない。従って、１次転写ローラ５へと戻る電荷が少ないので、従来の構成よりも領域Ｂの電荷密度Ｑは低く抑えることができる。つまり、１次転写部Ｎ１における再転写を発生し難くすることができる。
【００６３】
又、中間転写ベルト６の裏面に接触する部材のうち、１次転写ローラ５以外の部材に整流作用を持たせなければ、１次転写部Ｎ１で中間転写ベルト６に過剰な電荷が注入されても、中間転写ベルト６が各部材上を通過する時に除電が行われる。そのため、中間転写ベルト６のチャージアップに起因する画像不具合が発生することはない。
【００６４】
ここで、図５に示すような測定系を用いて、中間転写ベルト６と１次転写ローラ５との間の整流性を確かめる実験を行った。即ち、金属板の上に中間転写ベルト６を載せ、１次転写ローラ５をその上から押し当てて、金属板と１次転写ローラ５の芯金との間の電流−電圧特性を測定した。金属板と中間転写ベルト６との間はオーミックな接合（接触）となっている。又、１次転写ローラ５と中間転写ベルト６との接触部を除く中間転写ベルト６の１次転写ローラ５側の面には絶縁テープを貼った。図６に測定結果を示す。
【００６５】
図６に示すように、本実施例では、中間転写ベルト６と１次転写ローラ５との間にｐｎ接合による整流作用が見られる。又、図６の結果から、逆バイアス印加時の耐圧は４ｋＶ程度であり、本実施例の構成においては、領域Ｃにおける電荷の逆流を防止するのに充分な耐圧であると推測できる。
【００６６】
次に、本実施例の画像形成装置１００で発生する再転写量を測定した。ここでは、マゼンタ色用の画像形成部ＳＭの１次転写部Ｎ１Ｍにおいて中間転写ベルト６上に転写されたマゼンタ色のベタ画像がシアン色用の画像形成部ＳＣの１次転写部Ｎ１Ｃを通過する際に発生する、該画像形成部ＳＣの感光ドラム１Ｃへの再転写量を測定した。マゼンタ、シアン共にトナー帯電量は−３５μＣ／ｇ程度、トナー層数は２〜３層である。再転写量は感光ドラム１Ｃ上をテーピングしてマゼンタトナーの反射濃度を測定することで評価した。反射濃度の測定にはX-rite社のSpectrodensitometerを使用した。又、シアン色のライン画像を出力したときのトナー飛び散りの評価も行った。
【００６７】
尚、シアン色用の画像形成部ＳＣの１次転写部Ｎ１Ｃは図２に示すように領域Ａ〜Ｄを有している。１次転写ローラ５の中間転写ベルト６に対する当接点（中間転写ベルト６の移動方向における当接領域の中心位置）は、感光ドラム１の中間転写ベルト６に対する当接点よりも、中間転写ベルト６の移動方向下流側へ３ｍｍ程度ずらしている。より具体的には、本実施例では、中間転写ベルト６の移動方向において、領域Ａは２ｍｍ、領域Ｂは０．５ｍｍ、領域Ｃは１．５ｍｍであった。
【００６８】
又、本実施例と共に、次の２つの比較例の検討も行った。
【００６９】
（比較例１）
本比較例では、１次転写ローラ５と中間転写ベルト６とを従来のものにして、本実施例と同様の検討を行った。本比較例の１次転写ローラ５は、芯金と、その外周面に形成した円筒状の導電性発泡ゴムとから成っており、体積抵抗率は約１０8Ω・ｃｍである。又、本比較例の中間転写ベルト６は、ポリイミドなどの基材に、カーボンなどの導電性材料を分散させたものであり、体積抵抗率は１０8〜１０11Ω・ｃｍに調整されている。１次転写ローラ５と中間転写ベルト６は従来の製品のものであり、導電型の制御はされていない。従って中間転写ベルト６の裏面と１次転写ローラ５との間に電気的な整流作用は見られなかった。１次転写ローラ５の直径、１次転写ローラ５の配置位置、中間転写ベルト６の厚みや周長は、本実施例と同じである。
【００７０】
（比較例２）
本比較例では、比較例１と同じ１次転写ローラ５と中間転写ベルト６とを用いた。但し、本比較例は、比較例１とは異なり、中間転写ベルト６の移動方向において１次転写ローラ５の中間転写ベルト６に対する当接点を、感光ドラム１の中間転写ベルト６に対する当接点と同じ位置に配置して検討を行った。図７は、本比較例における１次転写部Ｎ１Ｃを模式的に示す。即ち、本比較例では、中間転写ベルト６に対して感光ドラム１は接触しているが１次転写ローラ５は接触していない領域Ａ、及び中間転写ベルト６に対して１次転写ローラ５は接触しているが感光ドラム１は接触していない領域Ｃは、どちらもほとんど存在しない。その他の条件は、全て実施例１及び比較例１と同じである。
【００７１】
図８は、本実施例、比較例１及び比較例２における、シアン色用の画像形成部ＳＣの１次転写部Ｎ１Ｃに流した１次転写電流と、マゼンタトナーの再転写量との関係を示す。図中のＩ0は、本実施例で感光ドラム１上のベタ画像をきれいに中間転写ベルト６に転写するために最低限必要な転写電流値を示している。つまり、実際の画像形成プロセスにおいては、Ｉ0以上の転写電流値を用いることになる。この転写電流値は本実施例、比較例１及び比較例２で同じである。
【００７２】
本実施例では、領域Ｃにおいて中間転写ベルト６内の電荷が１次転写ローラ５へ逆流する現象が起こらないことから、領域Ｂの電荷密度が小さく抑えられ、再転写が比較的抑制されている（●、実線）。
【００７３】
一方、比較例１では、領域Ｃにおいて中間転写ベルト６内の電荷が１次転写ローラ５へと逆流するため、所定の転写電流を流すためには、より多くの電荷を領域Ｂに注入しなくてはならない。そのため、比較例１では、再転写量が多くなった（□、一点鎖線）。比較例１では、転写電流がＩ0の辺りでは、本実施例の４倍程度の再転写量になっている。
【００７４】
又、比較例２では、領域Ｃがほぼ存在しないため、１次転写ローラ５への電荷の逆流が発生せず、本実施例と同程度に再転写の抑制特性は良好である（○、点線）。
【００７５】
下記表１は、本実施例、比較例１及び比較例２において、シアン色用の画像形成部ＳＣの１次転写部Ｎ１Ｃで発生するシアントナーの飛び散りを比較評価した結果である。
【００７６】
【表１】
2009003035.tif 000003
【００７７】
本実施例及び比較例１では、図２に示すように、１次転写ローラ５の中間転写ベルト６に対する当接点を、感光ドラム１の中間転写ベルト６に対する当接点よりも中間転写ベルト６の移動方向下流側へずらしている。そのため、プレ転写が抑制されて、トナー飛び散りが少なく、良好な画像が得られる。
【００７８】
一方、比較例２では、図７のように１次転写ローラ５の中間転写ベルト６に対する当接点が感光ドラム１の中間転写ベルト６に対する当接点の真下にあるため、転写ニップの上流部に強い電界がかかる。そのため、プレ転写によるトナー飛び散りが多く発生し、良好な画像が得られなかった。
【００７９】
以上の結果から、本実施例によれば、プレ転写を抑制しつつ、再転写を抑制することが可能となることが分かる。
【００８０】
又、本実施例では、中間転写ベルト６の裏面に接触する２次転写部材であるバックアップローラ７ｂは、ｎ型の導電型を示す。これにより、１次転写部Ｎ１で中間転写ベルト６に注入された余剰なプラス電荷は、２次転写部Ｎ２において有効に排出される。そのため、画像形成を繰り返すことによって、中間転写ベルト６がチャージアップして１次転写電圧が上昇したり、異常放電に起因する画像不具合が発生したりすることはなかった。
【００８１】
尚、１次転写部材を構成する材料として中間転写体よりも大きな仕事関数を持つ金属材料を使用すれば、ｎ型の導電機構を持つ中間転写体の接触面と１次転写部材との間でショットキー接合による整流作用が発生するので、本実施例と同様の効果が得られる。
【００８２】
又、中間転写体の裏面に接している部材で、１次転写部材以外の部材（例えば、本実施例における中間転写ベルト６の駆動ローラ６１など）を全てｎ型の導電機構、又は中間転写ベルト６よりも小さい仕事関数を持つ金属部材にすることができる。このような構成にすれば、中間転写体に注入されている余剰なプラス電荷がその部材を介して除電され、中間転写体のチャージアップをより厳しく防止することができる。
【００８３】
更に、本実施例ではトナーの正規の帯電極性が負極性であるものとして説明したが、本発明はこれに限定されるものではない。トナーの正規の帯電極性が正極性の場合でも、負極性のときと逆の整流作用を１次転写部などに持たせれば、本実施例と同様の効果が得られる。
【００８４】
即ち、トナーの正規の帯電極性が正極性である場合、中間転写体の少なくとも裏面がｐ型の導電機構を持ち、１次転写部材がｎ型の導電機構を持つことにより、１次転写部材と該中間転写体の裏面との間に電気的な整流作用を持たせ得る。又、トナーの正規の帯電極性が正極性である場合、中間転写体の少なくとも裏面がｐ型の導電機構を持ち、１次転写部材が金属的な導電機構を持つことにより、１次転写部材と中間転写体の裏面との間に電気的な整流作用を持たせ得る。
【００８５】
又、トナーの正規の帯電極性が正極性である場合、好ましくは、中間転写体の裏面に接触する２次転写部材が、ｎ型の導電機構又は金属的な導電機構を持つようにする。より好ましくは、中間転写体の裏面に接している部材で、１次転写部材以外の部材が全て、ｐ型の導電機構又は金属的な導電機構を持つようにする。即ち、中間転写体の裏面と中間転写体の裏面に接触する２次転写部材との間には、中間転写体の裏面と１次転写部材との間の電気的な整流作用とは逆の電気的な整流作用、又はオーミックな導電性を持たせればよい。
【００８６】
以上、本実施例によれば、中間転写ベルト６を感光ドラム１に巻きつけるなどの機械的な設計の困難を伴うことなく、プレ転写によるトナー飛び散りを防止しつつ、再転写を抑制することが可能となる。
【００８７】
尚、プレ転写による飛び散りを抑制するために、１次転写部材の中間転写体に対する当接点を、像担持体の中間転写体に対する当接点よりも中間転写体の移動方向下流側にする時に、以上説明したような、飛び散りと再転写との両方を抑制する効果は大きくなる。但し、１次転写部材の中間転写体に対する当接点をこのような配置にしない場合であっても、上述した再転写を抑制する効果を得ることができる。
【００８８】
以上、本発明を具体的な実施例に則して説明したが、本発明は上述の実施形態に限定されるものではないことを理解されたい。例えば、画像形成装置がタンデムタイプのものではなく、前述のような４サイクルタイプのものである場合にも、単一の像担持体から中間転写体へのトナーの１次転写部に関して本発明を等しく適用することができ、上記同様の効果を得ることができる。
【図面の簡単な説明】
【００８９】
【図１】本発明に係る画像形成装置の一実施例の概略断面構成図である。
【図２】１次転写ローラの配置の一例を説明するための１次転写部の模式図である。
【図３】中間転写ベルトと１次転写ローラとの間に整流作用を持たせた時の１次転写部の各領域における等価回路図である。
【図４】中間転写ベルトと１次転写ローラとの間に整流作用を持たせた時の中間転写ベルト内電荷密度と中間転写ベルトの移動方向における位置との関係を示すグラフ図である。
【図５】中間転写ベルトと１次転写ローラとの間の電気特性の測定方法を説明するための模式図である。
【図６】中間転写ベルトと１次転写ローラとの間の電気特性の測定結果の一例を示すグラフ図である。
【図７】１次転写ローラの配置の他の例を説明するための１次転写部の模式図である。
【図８】１次転写電流とマゼンタトナーの再転写量との関係の評価結果を示すグラフ図である。
【図９】従来の１次転写部の各領域における等価回路図である。
【図１０】従来の１次転写部の構成における中間転写ベルト内電荷密度と中間転写ベルトの移動方向における位置との関係を示すグラフ図である。
【符号の説明】
【００９０】
１          感光ドラム
２          帯電ローラ
３          レーザービームスキャナー
４          現像装置
５          １次転写ローラ
６          中間転写ベルト
７ａ        ２次転写ローラ
７ｂ        バックアップローラ
Ｎ１        １次転写部
Ｎ２        ２次転写部
【図１】
2009003035.tif 000004
【図２】
2009003035.tif 000005
【図３】
2009003035.tif 000006
【図４】
2009003035.tif 000007
【図５】
2009003035.tif 000008
【図６】
2009003035.tif 000009
【図７】
2009003035.tif 000010
【図８】
2009003035.tif 000011
【図９】
2009003035.tif 000012
【図１０】
2009003035.tif 000013